(57)【要約】  本発明は、二次電池の絶縁性を確保するため、パウチケースの内側シール部のシール形状又は構造を最適化させるパウチケースのシール装置及びシール方法に関する。本発明によるパウチケースのシール装置は、パウチ型二次電池のパウチケースをシールする装置であって、前記パウチケースのシール部を上部から下方に加圧する上部圧着治具；及び前記パウチケースのシール部を下部から上方に加圧する下部圧着治具を含み、前記上部圧着治具及び前記下部圧着治具の少なくとも１つは、内側端部と外側端部との前記パウチケースに対する加圧深さが相異なるように構成される。
2016506049.tif 000002
【特許請求の範囲】
【請求項１】
パウチ型二次電池のパウチケースをシールする装置であって、
前記パウチケースのシール部を上部から下方に加圧する上部圧着治具と、
前記パウチケースのシール部を下部から上方に加圧する下部圧着治具と
を含み、
前記上部圧着治具及び前記下部圧着治具の少なくとも１つは、内側端部と外側端部との前記パウチケースに対する加圧深さが相異なるパウチケースのシール装置。
【請求項２】
前記上部圧着治具及び前記下部圧着治具の少なくとも１つが、前記パウチケースに接触した状態で傾動する請求項１に記載のパウチケースのシール装置。
【請求項３】
前記傾動は、前記上部圧着治具及び前記下部圧着治具の少なくとも１つの外側端部が前記パウチケースをさらに加圧する形態で行われる請求項２に記載のパウチケースのシール装置。
【請求項４】
前記上部圧着治具及び前記下部圧着治具の少なくとも１つが、前記パウチケースの加圧面に段差を有する請求項１から請求項３のうちいずれか１項に記載のパウチケースのシール装置。
【請求項５】
前記段差は、外側端部が内側端部より高く形成される請求項４に記載のパウチケースのシール装置。
【請求項６】
前記段差は、２つ以上形成された請求項４または請求項５に記載のパウチケースのシール装置。
【請求項７】
前記上部圧着治具及び前記下部圧着治具の少なくとも１つは、前記パウチケースの加圧面が傾斜を有するように形成された請求項１から請求項６のうちいずれか１項に記載のパウチケースのシール装置。
【請求項８】
前記傾斜は、前記上部圧着治具及び前記下部圧着治具の少なくとも１つの外側端部が内側端部より高く形成される請求項７に記載のパウチケースのシール装置。
【請求項９】
前記上部圧着治具及び前記下部圧着治具の少なくとも１つが、前記パウチケースのシール部に圧力とともに熱を加える請求項１から請求項８のうちいずれか１項に記載のパウチケースのシール装置。
【請求項１０】
前記上部圧着治具及び前記下部圧着治具の少なくとも１つが、前記パウチケースのシール部を加圧する前に加熱する請求項１から請求項９のうちいずれか１項に記載のパウチケースのシール装置。
【請求項１１】
請求項１から請求項１０のうちいずれか１項に記載のパウチケースのシール装置を含む二次電池の製造装置。
【請求項１２】
パウチ型二次電池のパウチケースをシールする方法であって、
前記パウチケースの内部空間に電極組立体を収納する収納段階と、
前記パウチケースのシール部を上下方向に加圧する加圧段階と
を含み、
前記加圧段階では、前記パウチケースに対する加圧深さが相異なるパウチケースのシール方法。
【請求項１３】
前記加圧段階では、外側が内側より加圧深さがさらに深い請求項１２に記載のパウチケースのシール方法。
【請求項１４】
前記加圧段階では、前記パウチケースを加圧する上部圧着治具及び下部圧着治具の少なくとも１つを前記パウチケースに接触した状態で傾動させる請求項１３に記載のパウチケースのシール方法。
【請求項１５】
前記傾動は、前記上部圧着治具及び前記下部圧着治具の少なくとも１つの外側端部が前記パウチケースをさらに加圧する形態で行われる請求項１４に記載のパウチケースのシール方法。
【請求項１６】
前記加圧段階では、前記パウチケースのシール部に圧力とともに熱を加える請求項１２から請求項１５のうちいずれか１項に記載のパウチケースのシール方法。
【請求項１７】
前記加圧段階の前に、前記パウチケースのシール部を加熱する予熱段階をさらに含む請求項１２から請求項１６のうちいずれか１項に記載のパウチケースのシール方法。
【発明の詳細な説明】
【技術分野】
【０００１】
本発明は、パウチ型二次電池のパウチケースをシールする装置及び方法に関し、より詳しくは、パウチ型二次電池を製造するとき、パウチケースに対して行われるシール工程を改善することで、パウチ型二次電池の絶縁性を向上できるパウチ型二次電池のパウチケースシール装置及びシール方法に関する。
【０００２】
本出願は、２０１２年１２月２８日出願の韓国特許出願第１０−２０１２−０１５６１０６号及び２０１３年１２月２７日出願の韓国特許出願第１０−２０１３−０１６５５２５号に基づく優先権を主張し、該当出願の明細書及び図面に開示された内容は、すべて本出願に援用される。
【背景技術】
【０００３】
製品群毎の適用性が高く、高いエネルギー密度などの電気的特性を有する二次電池は、携帯用機器だけでなく、電気的駆動源によって駆動する電気自動車（ＥＶ；Ｅｌｅｃｔｒｉｃ Ｖｅｈｉｃｌｅ）またはハイブリッド自動車（ＨＶ；Ｈｙｂｒｉｄ Ｖｅｈｉｃｌｅ）などに普遍的に用いられている。
【０００４】
このような二次電池は、化石燃料の使用を画期的に減少させるという一次的な長所だけでなく、エネルギー使用による副産物が全く発生しないという点で環境にやさしく、エネルギー効率向上のための新たなエネルギー源として注目されている。
【０００５】
図１は、従来のパウチ型二次電池の構成を概略的に示した分解斜視図である。図１を参照すれば、従来のパウチ型二次電池１は電極組立体１０及びパウチケース２０を基本構造とする。
【０００６】
ここで、電極組立体１０は、正極板、負極板、及び前記正極板と負極板との間に介在され、前記正極板と負極板との間を電気的に絶縁させるセパレータなどから構成され、前記電極組立体１０には正極板から延設される正極タブと負極板から延設される負極タブが備えられる。
【０００７】
前記正極タブ及び負極タブは、正極リード１１及び負極リード１２と抵抗溶接、超音波溶接、レーザー溶接などの方法で接合でき、このような電極リードはパウチケースの外部に露出して二次電池の電極として二次電池と外部適用機器などを相互電気的に連結する機能を果たすようになる。
【０００８】
電極組立体１０は電解液とともにパウチケース２０に収納される。
【０００９】
パウチケース２０は上部ケース２１と下部ケース２２とに区分され、電極組立体１０が収納される位置によってシングルキャップまたはダブルキャップなどで称されることもある。
【００１０】
このようなパウチケース２０は、内部に収納された電解液と電極組立体１０を保護し、電池セルの電気化学的性質に対する補完及び耐熱性などを向上させるためにアルミニウム薄膜が介在された形態で構成され得る。このとき、前記アルミニウム薄膜には、電池セルと外部との絶縁性を確保するため、ポリエチレンテレフタレート（ｐｏｌｙｅｔｈｙｌｅｎｅ ｔｅｒｅｐｈｔｈａｌａｔｅ、ＰＥＴ）樹脂またはナイロン樹脂などの絶縁物質でコーティングされた絶縁層が外部に形成され得る。
【００１１】
パウチケース２０は、シール工程で外周面部分を熱融着などによって接合又は接着することができる。そのため、上部ケース２１の下面と下部ケース２２の上面には、相互接着のために無延伸ポリプロピレン（ｃａｓｔｅｄ ｐｏｌｙｐｒｏｐｙｌｅｎｅ、ＣＰＰ）またはポリプロピレン（ｐｏｌｙｐｒｏｐｙｌｅｎｅ、ＰＰ）による接着層が形成される。このような接着層は、パウチケース２０の接着だけでなく、アルミニウム層とパウチケース２０の内部に注入された電解質との間の導電を防止する絶縁層の役割も果たす。
【００１２】
図２は、図１のＡ部分とＢ部分の拡大断面図である。図２を参照すれば、上部ケース２１は絶縁層２５、アルミニウム層２４及び接着層２３の順で所定の層状構造を有し、下部ケース２２は接着層２３、アルミニウム層２４及び絶縁層２５の構造を有する。
【００１３】
パウチケース２０をシールするため、上部ケース２１の下面の接着層２３と下部ケース２２の上面の接着層２３には熱と圧力が加えられる。
【００１４】
図３は、従来技術によってパウチケースをシールする場合、シール部が緊密にシールされず、アルミニウム層が電解質に露出した状態を示した拡大断面図である。図３を参照すれば、パウチケース２０のうちＣで示されたようなシール部のシールが完全に行われない場合、電極組立体１０が位置する方向であるシール部の内側に接着層２３が厚く形成されないことがある。このように、シール部の内側に接着層２３が厚く形成されなければ、Ｄで示されたようにアルミニウム層２４の一部が電解質に露出した状態になり得る。
【００１５】
これは、パウチケース２０のシール過程でシール部の接着層２３が圧力によって側面方向、特に二次電池の外側方向に押される場合に生じ得る。そして、この場合、二次電池の絶縁性が破壊され、二次電池の損傷は勿論、内部短絡による発火や爆発、火事など、二次電池の安全性に深刻な問題を引き起こす恐れがある。
【発明の概要】
【発明が解決しようとする課題】
【００１６】
本発明は、上記問題点に鑑みてなされたものであり、パウチ型二次電池をシールするとき、シール部分に対する絶縁性を安定的に確保できるパウチケースのシール方法及びシール装置を提供することを目的とする。
【００１７】
本発明の他の目的及び長所は、下記する説明によって理解でき、本発明の実施例によってより明らかに分かるであろう。また、本発明の目的及び長所は、特許請求の範囲に示される手段及びその組合せによって実現することができる。
【課題を解決するための手段】
【００１８】
上記の課題を達成するため、本発明の一態様によるパウチケースのシール装置は、パウチ型二次電池のパウチケースをシールする装置であって、前記パウチケースのシール部を上部から下方に加圧する上部圧着治具；及び前記パウチケースのシール部を下部から上方に加圧する下部圧着治具を含み、前記上部圧着治具及び前記下部圧着治具の少なくとも１つは、内側端部と外側端部との前記パウチケースに対する加圧深さが相異なる。
【００１９】
望ましくは、前記上部圧着治具及び前記下部圧着治具の少なくとも１つは、前記パウチケースに接触した状態で傾動（ｔｉｌｔｉｎｇ）する。
【００２０】
より望ましくは、前記傾動は、前記上部圧着治具及び前記下部圧着治具の少なくとも１つの外側端部が前記パウチケースをさらに加圧する形態で行われる。
【００２１】
また望ましくは、前記上部圧着治具及び前記下部圧着治具の少なくとも１つは、前記パウチケースの加圧面に段差が形成される。
【００２２】
より望ましくは、前記段差は、外側端部が内側端部より高く形成される。
【００２３】
また望ましくは、前記段差は、２つ以上形成される。
【００２４】
また望ましくは、前記上部圧着治具及び前記下部圧着治具の少なくとも１つは、前記パウチケースの加圧面が傾斜を有する。
【００２５】
より望ましくは、前記傾斜は、前記上部圧着治具及び前記下部圧着治具の少なくとも１つの外側端部が内側端部より高く形成される。
【００２６】
また望ましくは、前記上部圧着治具及び前記下部圧着治具の少なくとも１つは、前記パウチケースのシール部に圧力とともに熱を加える。
【００２７】
また望ましくは、前記上部圧着治具及び前記下部圧着治具の少なくとも１つは、前記パウチケースのシール部を加圧する前に加熱する。
【００２８】
上記の課題を達成するため、本発明の他の態様による二次電池の製造装置は、上述したパウチケースのシール装置を含む。
【００２９】
上記の課題を達成するため、本発明のさらに他の態様によるパウチケースのシール方法は、パウチ型二次電池のパウチケースをシールする方法であって、前記パウチケースの内部空間に電極組立体を収納する収納段階；及び前記パウチケースのシール部を上下方向に加圧する加圧段階を含み、前記加圧段階では、前記パウチケースに対する加圧深さが相異なる。
【００３０】
望ましくは、前記加圧段階では、外側の加圧深さが内側より深い。
【００３１】
より望ましくは、前記加圧段階では、前記パウチケースを加圧する上部圧着治具及び下部圧着治具の少なくとも１つを前記パウチケースに接触した状態で傾動させる。
【００３２】
より望ましくは、前記傾動は、前記上部圧着治具及び前記下部圧着治具の少なくとも１つの外側端部が前記パウチケースをさらに加圧する形態で行われる。
【００３３】
また望ましくは、前記加圧段階では、前記パウチケースのシール部に圧力とともに熱を加える。
【００３４】
また望ましくは、前記加圧段階の前に、前記パウチケースのシール部を加熱する予熱段階をさらに含む。
【発明の効果】
【００３５】
本発明によれば、パウチ型二次電池に対するパウチケースのシール工程の際、二次電池の絶縁性確保に最適化された内側シール部のシール形状にすることができる。
【００３６】
特に、本発明によれば、パウチケースのシール部に対するシール工程で、パウチケースの内側接着層が二次電池の外側ではなく内側に押されることで、シール部の内側に厚い絶縁層を形成することができる。
【００３７】
それにより、シール部のシール過程でパウチケースのアルミニウム層が露出することを防止し、電解質とアルミニウム層との間の導電が発生することを防止でき、機械的に一層堅固なパウチケースの形態を維持することができる。
【００３８】
したがって、本発明のこのような態様によれば、二次電池のパウチケースに対する絶縁性が安定的に確保でき、内部短絡による発火や爆発、火事などを効果的に予防することができる。
【図面の簡単な説明】
【００３９】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【００４０】
【図１】従来のパウチ型二次電池の構成を概略的に示した分解斜視図である。
【図２】図１のＡ部分とＢ部分の拡大断面図である。
【図３】従来技術によってパウチケースをシールする場合、シール部が緊密にシールされず、アルミニウム層が電解質に露出した状態を示した拡大断面図である。
【図４】本発明の一態様によるパウチケースのシール装置の構成を概略的に示した図である。
【図５】本発明によってパウチケースがシールされた状態を示した拡大断面図である。
【図６】本発明の他の実施例によるパウチケースのシール装置の構成を概略的に示した図である。
【図７】本発明のさらに他の実施例によるパウチケースのシール装置の構成を概略的に示した図である。
【図８】本発明のさらに他の実施例によるパウチケースのシール装置の構成を概略的に示した図である。
【図９】本発明のさらに他の実施例によるパウチケースのシール装置の構成を概略的に示した図である。
【図１０】本発明の他の態様によるパウチケースのシール方法を概略的に示したフロー図である。
【発明を実施するための形態】
【００４１】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００４２】
したがって、本明細書に記載された実施例及び図面に示された構成は、本発明のさらにも望ましい一実施例に過ぎず、本発明の技術的な思想のすべてを代弁するものではないため、本出願の時点においてこれらに代替できる多様な均等物及び変形例があり得ることを理解せねばならない。
【００４３】
また、本発明の説明において、関連する公知の構成または機能についての具体的な説明が本発明の要旨をぼやかし得ると判断される場合は、その詳細な説明は省く。本発明の実施形態は通常の技術者に本発明をより完全に説明するために提供されるものであるため、図面における構成要素の形状及び大きさなどはより明確な説明のために誇張され得る。
【００４４】
図４は、本発明の一態様によるパウチケースのシール装置の構成を概略的に示した図である。図４を参照すれば、本発明によるシール装置は上部圧着治具１００と下部圧着治具２００を含む。
【００４５】
前記上部圧着治具１００は、パウチケース３００のシール部の上部に位置してシール部を上部から下方に加圧する。
【００４６】
前記下部圧着治具２００は、パウチケース３００のシール部の下部に位置してシール部を下部から上方に加圧する。
【００４７】
上部圧着治具１００がパウチケース３００のシール部を上部から下方に加圧し、下部圧着治具２００がパウチケース３００のシール部を下部から上方に加圧することで、シール部は上下方向に圧力が加えられてシールされる。
【００４８】
特に、本発明において、上部圧着治具１００及び下部圧着治具２００の少なくとも一つは、内側端部と外側端部との加圧深さが相異なる。ここで、外側端部とは、図面にｏで示されたように、上部圧着治具及び下部圧着治具の加圧面１１０、２１０のうち二次電池の外側（図４の左側）部分を意味し、内側端部とは二次電池の内側（図４の右側）、すなわちパウチケースの内部空間３１０に収納された電極組立体４００が位置する側の部分を意味し、図面にｉで示されている。ここで、前記加圧面１１０、２１０とは、上部圧着治具１００と下部圧着治具２００が加圧するとき、パウチケース３００のシール部と接触する部分を意味する。
【００４９】
このように内側端部ｉと外側端部ｏとの加圧深さが相異なる場合、シール部の接着層３１１の内側厚さが変わることになる。特に、外側端部ｏの加圧深さが内側端部ｉの加圧深さより深い場合は、シール部の接着層３１１が外側から内側方向に押されるようになり、シール部の外側より内側に厚い接着層３１１が形成される。
【００５０】
望ましくは、パウチケース３００に対する内側端部と外側端部との加圧深さを相異ならせるため、上部圧着治具１００及び下部圧着治具２００の少なくとも１つは、パウチケース３００に接触した状態で傾動（ｔｉｌｔｉｎｇ）するように構成し得る。
【００５１】
図４を再び参照すれば、上部圧着治具１００及び下部圧着治具２００は上下方向に加圧した後、パウチケース３００に接触した状態で傾動することができる。このように上部圧着治具１００及び下部圧着治具２００が傾動すれば、上部圧着治具１００及び下部圧着治具２００の内側端部ｉと外側端部ｏとのパウチケース３００に対する加圧深さが変わり得る。このとき、上部圧着治具１００及び下部圧着治具２００は、図４に示されたように、水平面を基準に外側部分が内側部分より多めに傾動することが良い。すなわち、上部圧着治具１００は外側部分が内側部分よりさらに下がるように傾き、下部圧着治具２００は外側部分が内側部分よりさらに上がるように傾くことが良い。このような実施例によれば、上部圧着治具１００及び下部圧着治具２００の傾動によって、外側端部ｏが内側端部ｉよりパウチケース３００を一層強く加圧することができる。したがって、シール部の外側より内側で接着層３１１をより厚く形成することができる。
【００５２】
一方、図４に示された傾動は一例であって、上部圧着治具１００のみが傾動しても良く、逆に下部圧着治具２００のみが傾動しても良いことは言うまでもない。
【００５３】
また、このような傾動のため、上部圧着治具１００及び下部圧着治具２００の少なくとも１つの圧着治具には多様な回転手段を備えることができる。例えば、このような回転手段は、回転軸ａとモーター（図示せず）などから具現され、圧着治具が傾動するように圧着治具に回転力を与えることができる。すなわち、モーターは回転軸ａを回転させ、圧着治具は回転軸ａの回転に従って図４に示された矢印方向に回転することができる。ただし、このような回転軸ａとモーターを備えた回転手段は一例であって、本発明によるパウチケースのシール装置がこのような回転手段によって限定されることはない。
【００５４】
本発明によるパウチケースのシール装置によるシールの望ましい例は図５に示されている。
【００５５】
図５は、本発明によってパウチケースがシールされた状態を示した拡大断面図である。図５を参照すれば、本発明によるパウチケースのシール装置によってパウチケース３００をシールした場合、Ｅで示されたように、シール部の内側に厚い接着層３１１を形成することができる。したがって、本発明のこのような態様によれば、シール部の内側に接着層３１１が薄く形成されてアルミニウム層３１２の一部が露出することで、アルミニウム層３１２と電解質とが導通することを防止できる。したがって、本発明によれば、パウチケース３００の絶縁性を安定的に確保することができる。
【００５６】
また望ましくは、上部圧着治具１００及び下部圧着治具２００の少なくとも１つは、パウチケース３００の加圧面１１０、２１０に段差を有し得る。
【００５７】
図６は、本発明の他の実施例によるパウチケースのシール装置の構成を概略的に示した図である。
【００５８】
図６を参照すれば、上部圧着治具１００及び下部圧着治具２００には段差が形成されている。このように上部圧着治具１００及び下部圧着治具２００に段差が形成されれば、上部圧着治具１００及び下部圧着治具２００の内側端部ｉと外側端部ｏとの加圧深さが変わり得る。すなわち、このように段差が形成された上部圧着治具１００及び／または下部圧着治具２００がパウチケース３００のシール部を上下方向に加圧すれば、高い段差を有する部分は低い段差を有する部分よりさらに深い加圧深さを形成できる。このときの段差の高さｄは数μｍから最大１０ｍｍであり得る。
【００５９】
より望ましくは、前記段差は、図６に示されたように、外側端部ｏを内側端部ｉより高く形成することができる。このような実施例によれば、シール部の外側に位置した接着層３１１がシール部の内側に押され、シール部の内側に厚い接着層３１１を形成することができる。
【００６０】
ただし、図６には上部圧着治具１００及び下部圧着治具２００共に段差を有することが示されているが、これは一例に過ぎず、上部圧着治具１００のみに段差が形成され下部圧着治具２００には段差が形成されないこともあり得、逆の場合もあり得る。
【００６１】
一方、段差は上部圧着治具及び／または下部圧着治具の加圧面１１０、２１０に必ずしも一つずつ形成されるものではなく、それぞれ２つ以上形成されることもできる。
【００６２】
図７は、本発明のさらに他の実施例によるパウチケースのシール装置の構成を概略的に示した図である。
【００６３】
図７を参照すれば、上部圧着治具１００と下部圧着治具２００にはそれぞれ２つの段差が形成されている。このような実施例によれば、上部圧着治具と下部圧着治具の加圧面１１０、２１０に順次形成された段差によって、接着層３１１が押される方向が二次電池の外側から内側方向へと確実になり得る。
【００６４】
ただし、本発明がこのような実施例に限定されることはなく、上部圧着治具１００及び下部圧着治具２００の１つの圧着治具のみに２つ以上の段差が形成されることもできる。また、上部圧着治具１００や下部圧着治具２００に形成された段差の個数も３つ以上になり得る。また、それぞれの段差の高さ及び／または段差間の幅は同一であっても良く、必要によっては異なることもあり得る。
【００６５】
一方、図６及び図７の実施例では、上部圧着治具１００及び／または下部圧着治具２００に段差を形成することでパウチケース３００に対する内側端部と外側端部との加圧深さを相異ならせたが、本発明がこれによって限定されることはない。
【００６６】
例えば、パウチケース３００に対する内側端部と外側端部との加圧深さを相異ならせるため、上部圧着治具１００及び下部圧着治具２００の少なくとも１つはパウチケース３００の加圧面１１０、２１０に傾斜を設けることができる。このような実施例については図８を参照して説明する。
【００６７】
図８は、本発明のさらに他の実施例によるパウチケースのシール装置の構成を概略的に示した図である。
【００６８】
図８を参照すれば、上部圧着治具１００の加圧面１１０には傾斜が形成されている。特に、このように加圧面１１０に形成された傾斜は、上部圧着治具１００の外側端部ｏが内側端部ｉより高く形成されることが良い。このような実施例によれば、シール部の接着層３１１が外側から内側方向により自然に押されることで、シール部の内側に厚い接着層３１１が形成でき、これによりパウチケース３００の絶縁信頼性をより安定的に確保することができる。
【００６９】
ただし、これは一例に過ぎず、上部圧着治具１００の外に下部圧着治具２００にも傾斜が形成され得、下部圧着治具２００のみに傾斜が形成されることもあり得る。
【００７０】
図９は、本発明のさらに他の実施例によるパウチケースのシール装置の構成を概略的に示した図である。
【００７１】
図９を参照すれば、下部圧着治具２００は、下部圧着治具２００の加圧面２１０に段差が形成され、段差の間には傾斜が形成されている。このような実施例によれば、段差の間の傾斜面によって段差間の高さが徐々に変化するため、シール部の接着層３１１が外側から内側方向にスムーズに押されるようになる。
【００７２】
また望ましくは、上部圧着治具１００及び／または下部圧着治具２００は、シール部に圧力とともに熱を加えることができる。このように、パウチケース３００のシールのためにシール部に熱を加えれば、シール部の接着層３１１に流動性が与えられるため、加圧の際、シール部の接着層３１１がスムーズに押されることでシール部の内側により厚い接着層３１１を形成することができる。
【００７３】
また望ましくは、上部圧着治具１００及び／または下部圧着治具２００は、シール部を加圧する前に加熱することができる。加圧に先立って予めシール部を加熱すれば、加圧の際、接着層３１１が十分溶融した状態になるため、シール部に上下方向の圧力を加えれば接着層３１１が適切な速度で両側へと押されるようになる。接着層３１１が適切な速度で両側に押されれば、接着層３１１が必要以上にシール部の外側に押されることがなくなり、シール部の接着層３１１を内側に厚く形成することができる。したがって、シール部の内側部分でパウチケース３００のアルミニウム層３１２が露出することを防止することができる。
【００７４】
より望ましくは、上部圧着治具１００及び／または下部圧着治具２００は、シール部を加圧する前に予め加熱した後、熱と圧力を共に加えてシール工程を行うこともできる。
【００７５】
本発明の他の態様による二次電池の製造装置は、上述したパウチケースのシール装置を含むことができる。前記二次電池の製造装置は、上述したパウチケースのシール装置の外に電解液注入装置、パウチケース切断装置などをさらに含み得る。
【００７６】
以下、図１０を参照して本発明によるパウチケースのシール方法を説明する。
【００７７】
図１０は、本発明のさらに他の態様によるパウチケースのシール方法を概略的に示したフロー図である。図１０を参照すれば、本発明の一実施例によるパウチケースのシール方法は、電極組立体を収納する段階（Ｓ１１０）及びシール部を加圧する段階（Ｓ１３０）を含む。
【００７８】
前記電極組立体を収納する段階（Ｓ１１０）は、パウチケースの内部空間３１０に電極組立体を収納する段階である。Ｓ１１０段階で電極組立体がパウチケース３００の内部空間３１０に収納された後、電解液が注入される段階、及びパウチケース３００をシールするためにパウチケース３００のシール部が整列される段階がさらに行われ得る。
【００７９】
前記シール部を加圧する段階（Ｓ１３０）は、整列されたパウチケース３００のシール部に上下方向に圧力が加えられる段階である。特に、本発明において、前記シール部を加圧する段階（Ｓ１３０）ではパウチケース３００のシール部に対する加圧深さが相異なる。すなわち、シール部を加圧する段階（Ｓ１３０）では、パウチケース３００のシール部の外側と内側との加圧深さを異ならせてパウチケース３００のシール部が加圧されるため、シール部の接着層３１１の内側厚さと外側厚さとが異なるものになる。
【００８０】
前記シール部を加圧する段階（Ｓ１３０）は、シール部の外側がシール部の内側より加圧深さがより深いように行われることが望ましい。シール部の外側に加えられる加圧深さをシール部の内側に加えられる加圧深さより深くすることで、シール部の内側に厚い接着層３１１を形成することができ、それによって絶縁信頼性を確保することができる。
【００８１】
このようにシール部の外側に加えられる加圧深さをシール部の内側に加えられる加圧深さより深くするため、段階Ｓ１３０では上述したパウチケースのシール装置を用いることができる。
【００８２】
一例として、段階Ｓ１３０は、シール部に加えられる加圧深さを異ならせるため、傾動させる方式で行うことができる。このような傾動は、上部圧着治具１００及び下部圧着治具２００を一定角度に傾かせて行うことができる。このような実施例によれば、前記傾動によって、シール部に対する外側端部と内側端部との加圧深さを異ならせることができる。
【００８３】
より望ましくは、前記傾動は、シール部の内側に厚い接着層３１１が形成されるように、上部圧着治具１００は外側部分を内側部分よりさらに低く傾かせ、下部圧着治具２００は外側部分を内側部分よりさらに高く傾かせて行うことができる。
【００８４】
他の例として、段階Ｓ１３０は、段差が形成され、加圧面１１０、２１０の外側端部ｏが内側端部ｉより高い段差を有する上部圧着治具１００及び／または下部圧着治具２００を用いて行うことができる。
【００８５】
望ましくは、前記シール部を加圧する段階（Ｓ１３０）では、パウチケース３００のシール部に圧力とともに熱を加えることもできる。
【００８６】
また望ましくは、図１０に示されたように、電極組立体を収納する段階（Ｓ１１０）とシール部を加圧する段階（Ｓ１３０）との間にシール部を予熱する段階（Ｓ１２０）をさらに設けることもできる。前記シール部を予熱する段階（Ｓ１２０）は、加圧に先立って予めシール部を加熱する段階である。シール部を予熱する段階（Ｓ１２０）は、加圧に先立って予めシール部を加熱して接着層３１１を溶融させることで流動性を増大させる。このように、接着層３１１が十分溶融した状態でシール部に上下方向の圧力を加えれば、接着層３１１が適切な速度で両側に押されるようになる。したがって、接着層３１１が必要以上にシール部の外側に押されず、シール部の内側に厚い接着層３１１を確保することができる。
【００８７】
より望ましくは、段階Ｓ１３０の前にシール部を予熱する段階（Ｓ１２０）をさらに含み、段階Ｓ１３０においてパウチケース３００のシール部に圧力とともに熱を加えることもできる。
【００８８】
本明細書で個別的な実施例として説明された特徴は単一実施例として組み合わせられて具現され得る。逆に、本明細書で単一実施例として説明された多様な特徴は、個別的に多様な実施例として具現されるか、又は、適切な副結合（ｓｕｂｃｏｍｂｉｎａｔｉｏｎ）として具現され得る。
【００８９】
以上、本発明の詳細な説明または図面において、上、下、内、外などのような用語は一つの要素を他の要素と相対的に区分するために用いられ、説明の効率性を高めるための道具的概念に過ぎないため、物理的な位置、先後関係などを絶対的な基準によって区分するために用いられた概念として解釈されてはならない。
【００９０】
以上のように、本発明を限定された実施例と図面によって説明したが、本発明はこれに限定されるものではなく、本発明の属する技術分野で通常の知識を持つ者によって本発明の技術思想と特許請求の範囲の均等範囲内で多様な修正及び変形が可能であることは言うまでもない。
【図１】
2016506049.tif 000003
【図２（ａ）】
2016506049.tif 000004
【図２（ｂ）】
2016506049.tif 000005
【図３】
2016506049.tif 000006
【図４】
2016506049.tif 000007
【図５】
2016506049.tif 000008
【図６】
2016506049.tif 000009
【図７】
2016506049.tif 000010
【図８】
2016506049.tif 000011
【図９】
2016506049.tif 000012
【図１０】
2016506049.tif 000013
【国際調査報告】
2016506049.tif 000014
2016506049.tif 000015
2016506049.tif 000016
2016506049.tif 000017